(57)【要約】【課題】建築板の種類の増加を抑えながらバリエーションを多くすることができる建築板の取付構造を提供する。【解決手段】複数枚の建築板１を上下方向に並べて形成される。上下に隣接する前記建築板１は、上段の前記建築板１の一部が下段の前記建築板１の表面側に重ねられることによって、配設される。前記上段の建築板１と前記下段の建築板１との重ね寸法Ｌ２が異なる複数の非暴露部２を備える。【選択図】図１
2015172297.tif 000002
【特許請求の範囲】
【請求項１】
複数枚の建築板を上下方向に並べて形成され、上下に隣接する前記建築板は、上段の前記建築板の一部が下段の前記建築板の表面側に重ねられることによって、配設される建築板の取付構造であって、前記上段の建築板と前記下段の建築板との重ね寸法が異なる複数の非暴露部を備えることを特徴とする建築板の取付構造。
【請求項２】
前記下段の建築板が表面模様の異なる複数の柄部を備え、前記柄部が上下方向に並んで形成されていることを特徴とする請求項１に記載の建築板の取付構造。
【請求項３】
前記建築板が一方の表面と他方の表面とで異なる表面模様を備えることを特徴とする請求項１又は２に記載の建築板の取付構造。
【請求項４】
開口部の上端がこれと隣接する前記建築板の下端と同じ高さに形成されることを特徴とする請求項１乃至３のいずれか一項に記載の建築板の取付構造。
【請求項５】
複数枚の建築板が上下に複数段に並んで配置され、上下に隣接する前記建築板は上段の建築板の下部が下段の建築板の上部の表面に重ねられるようにして配置される鎧張り用の建築板であって、前記建築板の重なり合わない部分が暴露部として形成され、前記暴露部の表面形態は前記建築板の重なり寸法の大小によって各段毎に異なって形成されることを特徴とする建築板。
【請求項６】
複数枚の建築板が上下に複数段に並んで配置され、上下に隣接する前記建築板は上段の建築板の下部が下段の建築板の上部の表面に重ねられるようにして配置される鎧張り構造であって、前記建築板が重なり合っていない部分を暴露部として形成し、任意の段における前記暴露部の上下方向の寸法と他の段の前記暴露部の上下方向の寸法とが異なって形成されていることを特徴とする鎧張り構造。
【発明の詳細な説明】
【技術分野】
【０００１】
本発明は、建築板及びその取付構造並びに鎧張り構造に関し、更に詳しくは、屋根や壁を形成するにあたって、複数枚の建築板を並べて取り付ける構造に関する。
【背景技術】
【０００２】
従来、複数枚の建築板が縦横に並べられて、屋根面（屋根の外面）や壁面（壁の外面）が形成されている。この場合、防水性の確保などの目的で、隣接する建築板の一部を表裏方向で重ねるようにしている。通常、複数枚の建築板の形状はすべて一定であり、隣接する建築板の重ね寸法も一定である。従って、屋根面や壁面は全体にわたって一定の外観を有し、バリエーションが少なかった。そこで、特許文献１では、建築板の上端から下端面までの寸法を部分的に異ならせるようにしている。この場合、隣接する建築板の重ね寸法が一定であっても、屋根面や壁面が変化に富むように形成されやすい。
【先行技術文献】
【特許文献】
【０００３】
【特許文献１】特許第３７０８０７３号公報
【発明の概要】
【発明が解決しようとする課題】
【０００４】
しかし、特許文献１の発明では、バリエーションを多くしようとすると、多種多様な建築板が必要となって、建築板の種類の増加により高価格化をまねくおそれがあった。
【０００５】
本発明は上記の点に鑑みてなされたものであり、建築板の種類の増加を抑えながらバリエーションを多くすることができる建築板及びその取付構造並びに鎧張り構造を提供することを目的とする。
【課題を解決するための手段】
【０００６】
本発明の建築板の取付構造は、複数枚の建築板を上下方向に並べて形成され、上下に隣接する前記建築板は、上段の前記建築板の一部が下段の前記建築板の表面側に重ねられることによって、配設される建築板の取付構造であって、前記上段の建築板と前記下段の建築板との重ね寸法が異なる複数の非暴露部を備えることを特徴とする。
【０００７】
本発明の建築板の取付構造にあっては、前記下段の建築板が表面模様の異なる複数の柄部を備え、前記柄部が上下方向に並んで形成されていることが好ましい。
【０００８】
本発明の建築板の取付構造にあっては、前記建築板が一方の表面と他方の表面とで異なる表面模様を備えることが好ましい。
【０００９】
本発明の建築板の取付構造にあっては、開口部の上端がこれと隣接する前記建築板の下端と同じ高さに形成されることが好ましい。
【００１０】
本発明の建築板は、複数枚の建築板が上下に複数段に並んで配置され、上下に隣接する前記建築板は上段の建築板の下部が下段の建築板の上部の表面に重ねられるようにして配置される鎧張り用の建築板であって、前記建築板の重なり合わない部分が暴露部として形成され、前記暴露部の表面形態は前記建築板の重なり寸法の大小によって各段毎に異なって形成されることを特徴とする。
【００１１】
本発明の鎧張り構造は、複数枚の建築板が上下に複数段に並んで配置され、上下段で隣接する前記建築板は上段の建築板の下部が下段の建築板の上部の表面に重ねられるようにして配置される鎧張り構造であって、前記建築板が重なり合っていない部分を暴露部として形成し、任意の段における前記暴露部の上下方向の寸法と他の段の前記暴露部の上下方向の寸法とが異なって形成されていることを特徴とする。
【発明の効果】
【００１２】
本発明の建築板の取付構造は、上段の建築板と下段の建築板との重ね寸法が異なる複数の非暴露部を備えるので、上段の建築板で覆われていない下段の建築板の暴露部が複数種形成されることになる。従って、外観の異なる複数種の暴露部が形成されることになり、しかも、上段の建築板と下段の建築板とが同種のものであっても、外観の異なる複数種の暴露部が形成されることになる。よって、建築板の種類の増加を抑えながらバリエーションを多くすることができる。
【００１３】
本発明の建築板は、暴露部の表面形態が建築板の重なり寸法の大小によって各段毎に異なって形成される。従って、外観の異なる複数種の暴露部が形成されることになり、しかも、上段の建築板と下段の建築板とが同種のものであっても、外観の異なる複数種の暴露部が形成されることになる。よって、建築板の種類の増加を抑えながらバリエーションを多くすることができる。
【００１４】
本発明の鎧張り構造は、前記建築板が重なり合っていない部分を暴露部として形成し、任意の段における前記暴露部の上下方向の寸法と他の段の前記暴露部の上下方向の寸法とが異なって形成されている。従って、外観の異なる複数種の暴露部が形成されることになり、しかも、上段の建築板と下段の建築板とが同種のものであっても、外観の異なる複数種の暴露部が形成されることになる。よって、建築板の種類の増加を抑えながらバリエーションを多くすることができる。
【図面の簡単な説明】
【００１５】
【図１】図１Ａは本発明の実施の形態を示す正面図、図１Ｂは図１ＡのＸ−Ｘ断面図である。
【図２】建築板の一例の正面図である。
【図３】建築板の他の一例の一部の正面図である。
【図４】図４Ａは建築板の従来の取付構造の一例の正面図、図４Ｂは本発明の建築板の取付構造の一例の正面図、図４Ｃは本発明の建築板の取付構造の他例の正面図である。
【図５】図５Ａは建築板の一例の正面図、図５Ｂは建築板を重ねた状態の正面図である。
【図６】図６Ａは建築板の一方の表面の正面図、図６Ｂは建築板の他方の表面の正面図である。
【図７】建築板を重ねた状態の一例の正面図である。
【図８】図８Ａは本発明の本発明の建築板の取付構造の一例の正面図、図８Ｂは建築板の従来の取付構造の一例の正面図である。
【図９】図９Ａ、図９Ｂ及び図９Ｃは本発明の実施の形態の一例の正面図である。
【図１０】図１０Ａは従来例を示す正面図、図１０Ｂは図１０ＡのＹ−Ｙ断面図である。
【発明を実施するための形態】
【００１６】
以下、本発明を実施するための形態を説明する。
【００１７】
本発明の建築板の取付構造は鎧張り構造と同義である。鎧張りは「下見板張り」とも言い、建築板の張り方（施工方法）の一種である。すなわち、鎧張りは、複数枚の建築板を上下に複数段に順次並べて配置するものであって、上段の建築板の下部を下段の建築板の上部の表面に重ねるようにするものである。そして、上下多段に並んだ複数枚の建築板により、建物の屋根面や壁面などが形成されるものである。
【００１８】
本発明の建築板の取付構造で用いられる鎧張り用の建築板１としては任意の形状のものが用いられる。例えば、正面視で矩形平板状の建築板１が例示される。ここで、矩形平板状とは、厳密な意味で用いられるものではなく、建築板１は正面視で略矩形状であればよく、また建築板１はその表面や周縁部に多少の凹凸が形成されていても良い。矩形平板状の建築板１としては、例えば、横長のものを例示することができる。この場合、横方向の長手寸法が８００〜１０００ｍｍ、縦方向の短手寸法が３００〜５００ｍｍ、厚みが３〜１０ｍｍとすることができるが、これに限定されるものではない。建築板１の一方の表面（片面）又は両方の表面（両面）には、表面模様が形成されている。この表面模様は、例えば、着色や凹凸形状により形成されている。
【００１９】
そして、複数枚の建築板１は上下方向に並べて複数段（多段）に取り付けられる。また、必要に応じて、複数枚の建築板１は横方向に並べて取り付けられる。建築板１が壁材の場合は、胴縁などの壁下地にビスなどの固定具で固定される。建築板１が屋根材の場合は、野地板などの屋根下地にビスなどの固定具で固定される。
【００２０】
上下に隣接する建築板１は、上の建築板１の一部が下の建築板１の表面側に重なるようにして配置される。すなわち、上段の建築板１の下部が下段の建築板１の上部の表面に重なるようにして、上下段で隣接する複数枚の建築板１が取り付けられる。ここで、建築板１の下部とは、建築板１の下側半分の部分をいう。建築板１の上部とは、建築板１の上側半分の部分をいう。本実施の形態では、上段の建築板１の下部と下段の建築板１の上部とが完全に重なり合う必要はなく、上段の建築板１の下部と下段の建築板１の上部とが上下に位置ずれして一部だけが重なり合うようにする。
【００２１】
上段の建築板１の一部が重ねられた下段の建築板１の一部は、風雨に曝されにくい非暴露部２として形成される。また下段の建築板１の非暴露部２以外の部分は、上段の建築板１が重ねられず露出することになり、風雨に曝されやすい暴露部（葺き足）３として形成される。そして、本実施の形態の取付構造では、上下に隣接する建築板１において、上段の建築板１と下段の建築板１との重ね寸法Ｌ２が異なる複数の非暴露部２が形成されている。すなわち、本実施の形態の取付構造では、上下方向の寸法が異なる複数種の非暴露部２が形成されている。このように本実施の形態では、上下に隣接する建築板１において、建築板１の重なり合わない部分が暴露部３として形成され、暴露部３の表面形態（表面の形状、模様、色彩又はこれらの組み合わせからなる外観）は上下に隣接する建築板１の重なり寸法の大小によって各段毎に異なって形成されている。
【００２２】
具体的には、図１Ａ及び図１Ｂのような取付構造が例示される。最も下段に位置する複数枚の建築板１１は横方向に一列に並べて配置されている。横方向に隣接する建築板１１は側端部同士が突き合わされている。
【００２３】
複数枚の建築板１１の列の直ぐ上には、さらに別の複数枚の建築板１２が横方向に一列に並べて配置されている。建築板１１と建築板１２とは同じ形状であるが、異なる形状であっても良い。また建築板１１と建築板１２の表面模様は同じであっても異なっていてもいずれでも良い。横方向に隣接する建築板１２は側端部同士が突き合わされている。横方向に隣接する建築板１１の突き合わせ部分と、横方向に隣接する建築板１２の突き合わせ部分とは、横方向で位置がずれている。このズレの寸法は建築板１１，１２の横方向の寸法の半分程度であることが好ましい。また建築板１１と建築板１２は、建築板１２が上段、建築板１１が下段となって上下に隣接して配置されており、上段の建築板１２の下部が下段の建築板１１の上部の表面側に重ねられている。
【００２４】
複数枚の建築板１２の列の直ぐ上には、さらに別の複数枚の建築板１３が横方向に一列に並べて配置されている。建築板１１と建築板１３とは同じ形状であるが、異なる形状であっても良い。建築板１２と建築板１３とは同じ形状であるが、異なる形状であっても良い。また建築板１１と建築板１２と建築板１３の表面模様は同じであっても異なっていてもいずれでも良い。横方向に隣接する建築板１３は側端部同士が突き合わされている。横方向に隣接する建築板１２の突き合わせ部分と、横方向に隣接する建築板１３の突き合わせ部分とは、横方向で位置がずれている。このズレの寸法は建築板１２，１３の横方向の寸法の半分程度であることが好ましい。また建築板１２と建築板１３は、建築板１３が上段、建築板１２が下段となって上下に隣接して配置されており、上段の建築板１３の下部が下段の建築板１２の上部の表面側に重ねられている。
【００２５】
複数枚の建築板１３の列の直ぐ上には、さらに別の複数枚の建築板１４が横方向に一列に並べて配置されている。建築板１１と建築板１４とは同じ形状であるが、異なる形状であっても良い。建築板１２と建築板１４とは同じ形状であるが、異なる形状であっても良い。建築板１３と建築板１４とは同じ形状であるが、異なる形状であっても良い。また建築板１１と建築板１２と建築板１３と建築板１４の表面模様は同じであっても異なっていてもいずれでも良い。横方向に隣接する建築板１４は側端部同士が突き合わされている。横方向に隣接する建築板１３の突き合わせ部分と、横方向に隣接する建築板１４の突き合わせ部分とは、横方向で位置がずれている。このズレの寸法は建築板１３，１４の横方向の寸法の半分程度であることが好ましい。また建築板１３と建築板１４は、建築板１４が上段、建築板１５が下段となって上下に隣接して配置されており、上段の建築板１４の下部が下段の建築板１３の上部の表面側に重ねられている。
【００２６】
複数枚の建築板１４の列の直ぐ上には、さらに別の複数枚の建築板１５が横方向に一列に並べて配置されている。建築板１１と建築板１５とは同じ形状であるが、異なる形状であっても良い。建築板１２と建築板１５とは同じ形状であるが、異なる形状であっても良い。建築板１３と建築板１５とは同じ形状であるが、異なる形状であっても良い。建築板１４と建築板１５とは同じ形状であるが、異なる形状であっても良い。また建築板１１と建築板１２と建築板１３と建築板１４と建築板１５の表面模様は同じであっても異なっていてもいずれでも良い。横方向に隣接する建築板１５は側端部同士が突き合わされている。横方向に隣接する建築板１４の突き合わせ部分と、横方向に隣接する建築板１５の突き合わせ部分とは、横方向で位置がずれている。このズレの寸法は建築板１４，１５の横方向の寸法の半分程度であることが好ましい。また建築板１４と建築板１５は、建築板１５が上段、建築板１４が下段となって上下に隣接して配置されており、上段の建築板１５の下部が下段の建築板１４の上部の表面側に重ねられている。
【００２７】
上記のようにして取り付けられた建築板１１には、その直ぐ上の建築板１２と重なった非暴露部２１が形成され、非暴露部２１よりも下方の部分が暴露部３１として形成される。また建築板１２においては、その直ぐ上の建築板１３と重なった非暴露部２２が形成され、非暴露部２２よりも下方の部分が暴露部３２として形成される。さらに建築板１３においては、その直ぐ上の建築板１４と重なった非暴露部２３が形成され、非暴露部２３よりも下方の部分が暴露部３３として形成される。さらに建築板１４においては、その直ぐ上の建築板１５と重なった非暴露部２４が形成され、非暴露部２４よりも下方の部分が暴露部３４として形成される。
【００２８】
そして、非暴露部２１の上下方向の寸法Ｌ２１と、非暴露部２２の上下方向の寸法Ｌ２２と、非暴露部２３の上下方向の寸法Ｌ２３と、非暴露部２４の上下方向の寸法Ｌ２４とが異なるように形成されている。この場合、寸法Ｌ２１と寸法Ｌ２２と寸法Ｌ２３と寸法Ｌ２４の総てが異なっていても良いし、寸法Ｌ２１と寸法Ｌ２２と寸法Ｌ２３と寸法Ｌ２４のうちの三つが同じで一つが異なるようにしても良いし、寸法Ｌ２１と寸法Ｌ２２と寸法Ｌ２３と寸法Ｌ２４のうちの二つずつが同じになるようにしても良い。また、上記のように建築板１１、１２、１３、１４及び１５を取り付けると、建築板１１、１２、１３、１４及び１５の上下方向の寸法（短手方向の寸法）が同じであるので、暴露部３１の上下方向の寸法Ｌ３１と、暴露部３２の上下方向の寸法Ｌ３２と、暴露部３３の上下方向の寸法Ｌ３３と、暴露部３４の上下方向の寸法Ｌ３４とが異なるように形成される。この場合、寸法Ｌ３１と寸法Ｌ３２と寸法Ｌ３３と寸法Ｌ３４の総てが異なる場合や、寸法Ｌ３１と寸法Ｌ３２と寸法Ｌ３３と寸法Ｌ３４のうちの三つが同じで一つが異なる場合や、寸法Ｌ３１と寸法Ｌ３２と寸法Ｌ３３と寸法Ｌ３４のうちの二つずつが同じになる場合もある。
【００２９】
上記のような建築板１の取付構造では、上下に隣接する建築板１の重ね寸法を部分的に異ならせることにより、複数の建築板１の種類が同じ（正面視での形状が同一）であっても、上下方向の寸法が異なる複数の暴露部３１、３２、３３及び３４が形成されることになる。すなわち、同じ種類の複数枚の建築板１を用いても、暴露部３１と暴露部３２と暴露部３３及び暴露部３４は少なくとも上下方向の寸法が異なることになり、暴露部３１と暴露部３２と暴露部３３及び暴露部３４は正面視において異なる表面形態を備えることになる。従って、建築板１の種類の増加を抑えながら壁面や屋根面の外観のバリエーションを多くすることができる。もちろん、建築板１１、１２、１３、１４及び１５の表面模様（表面の色や形状等）を異ならせると、さらに多くのバリエーションの壁面や屋根面の外観を形成することができる。尚、図１０Ａ及び図１０Ｂは従来のように、上下に隣接する建築板１の重ね寸法Ｌ２を一定にした取付構造である。この場合、暴露部３の上下方向の寸法Ｌ３は一定となり、バリエーションが少なくなる。
【００３０】
建築板１の暴露部３の上下方向の寸法は適宜調整されるが、長さの異なる三種類の暴露部３が形成されることが好ましい。例えば、図３のように、暴露部３の上下方向の寸法がＬ３４、Ｌ３５、Ｌ３６の三種類に調整され、Ｌ３４＞Ｌ３５＞Ｌ３６、Ｌ３４＝Ｌ３５＋Ｌ３６、Ｌ３６＝Ｌ３５÷２という条件を満たす場合を考える。図４Ａのように、暴露部３の上下方向の寸法Ｌ３５が一定となるように、建築板１を上下に４枚並べた場合、最も下段の暴露部３の下端から最も上段の暴露部３までの寸法Ｌ３７は、Ｌ３５の四倍、すなわち、Ｌ３７＝Ｌ３５×４に形成される。一方、図４Ｂのように、上下方向の寸法がＬ３４の暴露部３が一つと、上下方向の寸法がＬ３５の暴露部３が二つと、上下方向の寸法がＬ３６の暴露部３が一つとが形成されるように、建築板１を上下に４枚並べた場合、最も下段の暴露部３の下端から最も上段の暴露部３までの寸法Ｌ３８は、Ｌ３８＝Ｌ３４＋Ｌ３５×２＋Ｌ３６となり、Ｌ３７＝Ｌ３８となる。また図４Ｃのように、上下方向の寸法がＬ３４の暴露部３が一つと、上下方向の寸法がＬ３５の暴露部３が一つと、上下方向の寸法がＬ３６の暴露部３が三つとが形成されるように、建築板１を上下に５枚並べた場合、最も下段の暴露部３の下端から最も上段の暴露部３までの寸法Ｌ３９は、Ｌ３９＝Ｌ３４＋Ｌ３５＋Ｌ３６×３となり、Ｌ３７＝Ｌ３８＝Ｌ３９となる。
【００３１】
このように、図４Ａのような暴露部３の上下方向の寸法が一定となる建築板１の取付構造（従来の取付構造）と、図４Ｂや図４Ｃのような暴露部３の上下方向の寸法が三種類となる建築板１の取付構造（本実施の形態の取付構造）とは、最も下段の暴露部３の下端から最も上段の暴露部３までの寸法が同じになる。従って、建築板１を取り付ける施工業者が従来と馴染みのある納まりで本実施の形態を形成することができる。
【００３２】
本実施の形態にあっては、建築板１が表面模様の異なる複数の柄部４を備え、これらの柄部４が上下方向に並んで形成されていることが好ましい。例えば、図５Ａに示されている建築板１では、二つの柄部４０、４１が形成されている。第一の柄部４０と第二の柄部４１は建築板１の横方向の全長にわたって形成されている。尚、本明細書において、全長とは厳密な意味で用いられるものではなく、略全長をも含む概念である。柄部４０と柄部４１とは表面模様が互いに異なっていれば良い。表面模様は着色や凹凸形状で形成されており、これらを異ならせることにより、柄部４０と柄部４１とが別の外観に形成される。例えば、下の第一の柄部４０が木目シダー模様で形成され、上の第二の柄部４１が大谷石模様で形成される。柄部４０と柄部４１との境界には、基準線５が建築板１の横方向の全長にわたって形成されている。また第二の柄部４１のさらに上には重ね代部６が設けられている。重ね代部６は建築板１の横方向の全長にわたって形成されている。重ね代部６はその表面側に他の建築板１が重ねられる部分であり、表面模様があってもなくても良い。重ね代部６と第二の柄部４１との境界には、さらに別の基準線７が建築板１の横方向の全長にわたって形成されている。
【００３３】
複数の柄部４を有する建築板１も上記と同様にして取り付けられる。そして、上下に隣接する建築板１の重ね寸法を部分的に異ならせることにより、図５Ｂのように、柄部４の異なる複数の暴露部３が形成されることになる。従って、上下方向の寸法が異なる複数の暴露部３が形成されることに加えて、これら複数の暴露部３の柄部４も異なることになって、壁面や屋根面の外観のバリエーションをさらに多くすることができる。すなわち、上下に隣接する建築板１の重ね寸法を大きくし、非暴露部２の上下方向の寸法を大きくすると、暴露部３の上下方向の寸法が小さくなって、柄部４０が露出し、柄部４１が露出しなくなる。逆に、上下に隣接する建築板１の重ね寸法を小さくし、非暴露部２の上下方向の寸法を小さくすると、暴露部３の上下方向の寸法が大きくなって、柄部４０と柄部４１の両方が露出することになる。このようにして上下に隣接する建築板１の重ね寸法を変えて壁面や屋根面の外観のバリエーションを多くすることができる。また、上下に隣接する建築板１の重ね寸法は基準線５や基準線７を目安にして調整される。
【００３４】
本実施の形態では、建築板１が一方の表面と他方の表面とで異なる表面模様を備えることが好ましい。例えば、建築板１では、図６Ａのように、一方の表面の暴露部３となる部分に横方向に長い複数本の筋状柄が形成されており、図６Ｂのように、他方の表面の暴露部３となる部分に上下方向に長い複数本の筋状柄が形成されている。このような建築板１は、一方の表面を露出させて暴露部３を形成する場合と、他方の表面を露出させて暴露部３を形成する場合とで、建築板１の表面模様を変えることができる。従って、建築板の表裏を使い分けることで、壁面や屋根面の外観のバリエーションを多くすることができる。
【００３５】
尚、建築板１は、正面視で略矩形状で形成されていなくてもよく、任意の形状に形成される。例えば、図７のように、建築板１の下部の横方向の略半分に切欠部８が形成されていても良い。この場合、上段の建築板１の切欠部８から下段の建築板１の表面模様が露出することになり、壁面や屋根面の外観のバリエーションを多くすることができる。
【００３６】
本実施の形態において、窓などの開口部１０が形成されている場合は、図８Ａのように、複数の建築板１を開口部１０の側方で上下に並べて壁面が形成される。この場合、開口部１０の上端１０１と一枚の建築板１の下端１１１とが同じ高さになるように、上下に隣接する建築板１の重ね寸法を調整するようにする。このようにすると、図８Ｂに示す従来例のように、開口部１０の角部１０２に対応して建築板１に切除部１１２を切除する必要がなく、建築板１の取り付けを容易に行うことができる。
【００３７】
そして、本実施の形態のような建築板１の取付構造にすると、図９Ａ〜Ｃのように、建物５０の壁面５１の外観のバリエーションを多種多様に形成することができる。
【符号の説明】
【００３８】
１  建築板
２  非暴露部
３  曝露部
４  柄部
１０  開口部
【図１】
2015172297.tif 000003
【図２】
2015172297.tif 000004
【図３】
2015172297.tif 000005
【図４】
2015172297.tif 000006
【図５】
2015172297.tif 000007
【図６】
2015172297.tif 000008
【図７】
2015172297.tif 000009
【図８】
2015172297.tif 000010
【図９】
2015172297.tif 000011
【図１０】
2015172297.tif 000012